(57)【特許請求の範囲】
【請求項１】
車両に対するローカル操作時にローカル操作レコードを車両および携帯記憶手段に記録する工程と、
リモート通信操作手段により前記ローカル操作を解除するためのリモート操作を行う際に前記携帯記憶手段に記録されているローカル操作レコードを車両に送信する工程と、
前記ローカル操作レコードを受信したときに当該ローカル操作レコードを車両に記録されているローカル操作レコードと比較し、比較結果が一致しているときにのみ当該ローカル操作の解除権限を付与する工程と
を含むことを特徴とするリモート操作時のローカル操作解除権限付与方法。
【請求項２】
車両に対するローカル操作時にローカル操作レコードをリモート操作制御マスタの記憶部および携帯記憶手段に記録する工程と、
リモート通信操作手段により前記ローカル操作を解除するためのリモート操作を行う際に前記携帯記憶手段に記録されているローカル操作レコードを車両に送信する工程と、
前記ローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程と
を含むことを特徴とするリモート操作時のローカル操作解除権限付与方法。
【請求項３】
携帯記憶手段が車両内にあるときに当該携帯記憶手段をリモート操作制御マスタと無線通信または有線通信で接続する工程と、
車両に対するローカル操作時にローカル操作レコードを前記リモート操作制御マスタの記憶部および前記携帯記憶手段に記録する工程と、
リモート通信操作手段により前記ローカル操作を解除するためのリモート操作を行う際に前記携帯記憶手段に記録されているローカル操作レコードを車両に送信する工程と、
前記リモート通信操作手段からローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程と
を含むことを特徴とするリモート操作時のローカル操作解除権限付与方法。
【請求項４】
携帯記憶手段であるスマートエントリキーが車両内にあるときに当該スマートエントリキーをリモート操作制御マスタと無線通信または有線通信で接続する工程と、
車両に対するローカル操作時にローカル操作レコードを前記リモート操作制御マスタの記憶部および前記スマートエントリキーの記憶部に記録する工程と、
リモート通信操作手段である携帯電話機により前記ローカル操作を解除するためのリモート操作を行う際に前記スマートエントリキーの記憶部に記録されているローカル操作レコードを車両に送信する工程と、
前記携帯電話機からローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程と
を含むことを特徴とするリモート操作時のローカル操作解除権限付与方法。
【請求項５】
携帯記憶手段兼リモート通信操作手段である携帯電話機が車両内にあるときに当該携帯電話機を無線通信または有線通信でリモート操作制御マスタに接続する工程と、
車両に対するローカル操作時にローカル操作レコードをリモート操作制御マスタの記憶部および前記携帯電話機の記憶部に記録する工程と、
前記携帯電話機により前記ローカル操作を解除するためのリモート操作を行う際に前記携帯電話機の記憶部に記録されているローカル操作レコードを車両に送信する工程と、
前記ローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程と
を含むことを特徴とするリモート操作時のローカル操作解除権限付与方法。
【請求項６】
前記ローカル操作レコードが、当該ローカル操作の操作内容および日付時刻であることを特徴とする請求項１ないし請求項５のいずれかに記載のリモート操作時のローカル操作解除権限付与方法。
【請求項７】
前記ローカル操作レコードが、リモート通信操作手段の端末識別情報および当該ローカル操作の操作内容であることを特徴とする請求項１ないし請求項５のいずれかに記載のリモート操作時のローカル操作解除権限付与方法。
【請求項８】
前記ローカル操作レコードが、リモート通信操作手段の端末識別情報および当該ローカル操作の日付時刻であることを特徴とする請求項１ないし請求項５のいずれかに記載のリモート操作時のローカル操作解除権限付与方法。
【請求項９】
前記ローカル操作レコードが、リモート通信操作手段の端末識別情報ならびに当該ローカル操作の操作内容および日付時刻であることを特徴とする請求項１ないし請求項５のいずれかに記載のリモート操作時のローカル操作解除権限付与方法。
【請求項１０】
特定のリモート通信操作手段に最高レベルのローカル操作解除権限を付与し、ローカル操作レコードの比較結果が一致しなくとも常にローカル操作の解除権限を付与するようにしたことを特徴とする請求項１ないし請求項９のいずれかに記載のリモート操作時のローカル操作解除権限付与方法。
【請求項１１】
車両に対するローカル操作時に当該ローカル操作レコードを記録する携帯記憶手段と、
当該ローカル操作を解除するためのリモート操作時に前記携帯記憶手段に記録されているローカル操作レコードを車両に送信するリモート通信操作手段と、
車両に対するローカル操作時にローカル操作レコードを記録し、当該ローカル操作を解除するためのローカル操作レコードを受信したときに当該ローカル操作レコードを、記録されているローカル操作レコードと比較し、比較結果が一致しているときにのみ当該ローカル操作の解除権限を付与する車両と
を有することを特徴とするリモート操作時のローカル操作解除権限付与システム。
【請求項１２】
車両に対するローカル操作時に当該ローカル操作レコードを記録し、当該ローカル操作を解除するためのリモート操作時に記録されているローカル操作レコードを車両に送信するリモート通信操作手段と、
車両に対するローカル操作時にローカル操作レコードを記録し、当該ローカル操作を解除するためのローカル操作レコードを受信したときに当該ローカル操作レコードを、記録されているローカル操作レコードと比較し、比較結果が一致しているときにのみ当該ローカル操作の解除権限を付与する車両と
を有することを特徴とするリモート操作時のローカル操作解除権限付与システム。
【請求項１３】
車両内にあるときにリモート操作制御マスタと無線通信または有線通信で接続され、車両に対するローカル操作時に前記リモート操作制御マスタによりローカル操作レコードを記録される携帯記憶手段と、
前記携帯記憶手段と無線通信または有線通信で接続され、前記ローカル操作を解除するためのリモート操作を行う際に前記携帯記憶手段に記録されているローカル操作レコードを車両に送信するリモート通信操作手段と、
前記リモート通信操作手段から送信されてきたローカル操作レコードを受信する車載通信装置と、
車両に対するローカル操作時にローカル操作レコードを自身の記憶部および接続されている携帯記憶手段に記録し、前記車載通信装置によりローカル操作レコードが受信されたときに当該ローカル操作レコードを自身の記憶部に記録されているローカル操作レコードと比較して、比較結果が一致しているときにのみ当該ローカル操作の解除権限を付与するリモート操作制御マスタと
を有することを特徴とするリモート操作時のローカル操作解除権限付与システム。
【請求項１４】
車両内にあるときにリモート操作制御マスタと無線通信または有線通信で接続され、車両に対するローカル操作時にローカル操作レコードを記憶部に記録し、前記ローカル操作を解除するためのリモート操作を行う際に前記記憶部に記録されているローカル操作レコードを車両に送信するリモート通信操作手段と、
前記リモート通信操作手段から送信されてきたローカル操作レコードを受信する車載通信装置と、
車両に対するローカル操作時にローカル操作レコードを記憶部に記録し、車載通信装置によりローカル操作レコードが受信されたときに当該ローカル操作レコードを前記記憶部に記録されているローカル操作レコードと比較して、比較結果が一致しているときにのみ当該ローカル操作の解除権限を付与するリモート操作制御マスタと
を有することを特徴とするリモート操作時のローカル操作解除権限付与システム。
【請求項１５】
車両内にあるときにリモート操作制御マスタと無線通信または有線通信で接続され、車両に対するローカル操作時に前記リモート操作制御マスタによりローカル操作レコードを自身の記憶部に記録される携帯記憶手段であるスマートエントリキーと、
前記スマートエントリキーと無線通信または有線通信で接続され、前記ローカル操作を解除するためのリモート操作を行う際に前記スマートエントリキーの記憶部に記録されているローカル操作レコードを車両に送信するリモート通信操作手段である携帯電話機と、
前記携帯電話機から送信されてきたローカル操作レコードを受信する車載通信装置と、
車両に対するローカル操作時にローカル操作レコードを自身の記憶部および接続されている前記スマートエントリキーの記憶部に記録し、前記車載通信装置によりローカル操作レコードが受信されたときに当該ローカル操作レコードを自身の記憶部に記録されているローカル操作レコードと比較して、比較結果が一致しているときにのみ当該ローカル操作の解除権限を付与するリモート操作制御マスタと
を有することを特徴とするリモート操作時のローカル操作解除権限付与システム。
【請求項１６】
車両内にあるときにリモート操作制御マスタと無線通信または有線通信で接続され、車両に対するローカル操作時に前記リモート操作制御マスタによりローカル操作レコードを自身の記憶部に記録され、前記ローカル操作を解除するためのリモート操作を行う際に自身の記憶部に記録されているローカル操作レコードを車両に送信する携帯記憶手段兼リモート通信操作手段である携帯電話機と、
前記携帯電話機から送信されてきたローカル操作レコードを受信する車載通信装置と、
車両に対するローカル操作時にローカル操作レコードを自身の記憶部および接続されている前記携帯電話機の記憶部に記録し、前記車載通信装置によりローカル操作レコードが受信されたときに当該ローカル操作レコードを自身の記憶部に記録されているローカル操作レコードと比較して、比較結果が一致しているときにのみ当該ローカル操作の解除権限を付与するリモート操作制御マスタと
を有することを特徴とするリモート操作時のローカル操作解除権限付与システム。
【請求項１７】
前記ローカル操作レコードが、当該ローカル操作の操作内容および日付時刻であることを特徴とする請求項１１ないし請求項１６のいずれかに記載のリモート操作時のローカル操作解除権限付与システム。
【請求項１８】
前記ローカル操作レコードが、リモート通信操作手段の端末識別情報および当該ローカル操作の操作内容であることを特徴とする請求項１１ないし請求項１６のいずれかに記載のリモート操作時のローカル操作解除権限付与システム。
【請求項１９】
前記ローカル操作レコードが、リモート通信操作手段の端末識別情報および当該ローカル操作の日付時刻であることを特徴とする請求項１１ないし請求項１６のいずれかに記載のリモート操作時のローカル操作解除権限付与システム。
【請求項２０】
前記ローカル操作レコードが、リモート通信操作手段の端末識別情報ならびに当該ローカル操作の操作内容および日付時刻であることを特徴とする請求項１１ないし請求項１６のいずれかに記載のリモート操作時のローカル操作解除権限付与システム。
【請求項２１】
特定のリモート通信操作手段に最高レベルのローカル操作解除権限を付与し、ローカル操作レコードの比較結果が一致しなくとも常にローカル操作の解除権限を付与するようにしたことを特徴とする請求項１１ないし請求項２０のいずれかに記載のリモート操作時のローカル操作解除権限付与システム。
【発明の詳細な説明】
【技術分野】
【０００１】
本発明はリモート操作時のローカル操作解除権限付与方法およびシステムに関し、特に車両に対して実行されたローカル操作をリモート操作で解除する際のリモート操作時のローカル操作解除権限付与方法およびシステムに関する。
【背景技術】
【０００２】
従来から、不意のエンジン始動やドアのこじ開けなどの異常が車両に発生した場合に、メールや電話などでユーザに通知するリモート通知サービスが知られている。これに加えて、ユーザ（車両オーナおよび車両オーナに車両の使用を許可された者）が、例えば、エンジンスタートのオン／オフ，ハザードランプの点灯／消灯，ドアのロック／アンロック，ウインドウの開／閉等の車両に対する操作を、遠隔地から携帯電話機等のリモート通信操作手段を用いて行うリモート操作サービスも提供されるようになってきている。
【０００３】
ところが、例えば、エンジンスタートのオン／オフ，ハザードランプの点灯／消灯，ドアのロック／アンロック，ウインドウの開／閉等の車両に対する操作は、車両に実際に乗って操作を行った者（以下、ローカル操作者という）がある意図をもって行うものであり、当該ローカル操作者以外の者がローカルに行われた操作（以下、ローカル操作という）をみだりに解除すべきものではない。しかし、リモート操作を許容する車両では、遠隔地にいる車両オーナ等の者（以下、リモート操作者という）からの操作（以下、リモート操作という）によって、ローカル操作者の意図に関係なく、ローカル操作の解除が行えるようになっており、ローカル操作を継続しなければならない状況でもローカル操作のリモート操作による解除ができるようになっていた（例えば、特許文献１参照）。
【特許文献１】特開２００４−１０２９４０号公報
【発明の開示】
【発明が解決しようとする課題】
【０００４】
しかしながら、ローカル操作者の意図を、遠隔地のリモート操作者が判断した上で、ローカル操作の解除を行うことは不可能であり、ローカル操作のリモート操作による解除を許容しているがために、種々の問題点が発生していた。例えば、冬場の早朝に車両オーナの妻が車両を使用する意図をもってエンジンスタートのオンというローカル操作を行った場合に、車両オーナが今朝は車両を使用しないからと遠隔地からエンジンスタートのオフというリモート操作を行うと、出かけようとした妻が直ぐに車両を使用できないという不具合が生じる。また、ハザードランプの点灯というローカル操作が行われた場合、ローカル操作者は、車両が危険な状態にあることを認識し、誰も不用意に車両に接近しないようにという意図をもってハザードランプの点灯というローカル操作を行っており、車両オーナが現状を知らずに遠隔地からリモート操作でハザードランプを消灯させた場合には不都合が生じる。特に、ハザードランプの点灯の場合には、操作した者以外の者が解除してはいけないという法規制があり、法令違反となる可能性があるので問題である。
【０００５】
そこで、本発明の課題は、ローカル操作をリモート操作により解除する場合にローカル操作者のみに解除権限を付与するようにしたリモート操作時のローカル操作解除権限付与方法を提供することにある。
【０００６】
また、本発明の他の課題は、ローカル操作をリモート操作により解除する場合にローカル操作者のみに解除権限を付与するようにしたリモート操作時のローカル操作解除権限付与システムを提供することにある。
【課題を解決するための手段および発明の効果】
【０００７】
請求項１記載のリモート操作時のローカル操作解除権限付与方法は、車両に対するローカル操作時にローカル操作レコードを車両および携帯記憶手段に記録する工程と、リモート通信操作手段により前記ローカル操作を解除するためのリモート操作を行う際に前記携帯記憶手段に記録されているローカル操作レコードを車両に送信する工程と、前記ローカル操作レコードを受信したときに当該ローカル操作レコードを車両に記録されているローカル操作レコードと比較し、比較結果が一致しているときにのみ当該ローカル操作の解除権限を付与する工程とを含むことを特徴とする。請求項１記載のリモート操作時のローカル操作解除権限付与方法によれば、車両に対するローカル操作時にローカル操作レコードを車両および携帯記憶手段に記録し、ローカル操作を解除するためのリモート操作を行う際に携帯記憶手段に記録されたローカル操作レコードを送信し、送信されてきたローカル操作レコードと車両に記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【０００８】
請求項２記載のリモート操作時のローカル操作解除権限付与方法は、車両に対するローカル操作時にローカル操作レコードをリモート操作制御マスタの記憶部および携帯記憶手段に記録する工程と、リモート通信操作手段により前記ローカル操作を解除するためのリモート操作を行う際に前記携帯記憶手段に記録されているローカル操作レコードを車両に送信する工程と、前記ローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程とを含むことを特徴とする。請求項２記載のリモート操作時のローカル操作解除権限付与方法によれば、車両に対するローカル操作時にローカル操作レコードをリモート操作制御マスタおよび携帯記憶手段に記録し、ローカル操作を解除するためのリモート操作を行う際に携帯記憶手段に記録されたローカル操作レコードを送信し、送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【０００９】
請求項３記載のリモート操作時のローカル操作解除権限付与方法は、携帯記憶手段が車両内にあるときに当該携帯記憶手段をリモート操作制御マスタと無線通信または有線通信で接続する工程と、車両に対するローカル操作時にローカル操作レコードを前記リモート操作制御マスタの記憶部および前記携帯記憶手段に記録する工程と、リモート通信操作手段により前記ローカル操作を解除するためのリモート操作を行う際に前記携帯記憶手段に記録されているローカル操作レコードを車両に送信する工程と、前記リモート通信操作手段からローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程とを含むことを特徴とする。請求項３記載のリモート操作時のローカル操作解除権限付与方法によれば、車両に対するローカル操作時にローカル操作レコードをリモート操作制御マスタおよび携帯記憶手段に記録し、ローカル操作を解除するためのリモート操作を行う際に携帯記憶手段に記録されたローカル操作レコードを送信し、送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００１０】
請求項４記載のリモート操作時のローカル操作解除権限付与方法は、携帯記憶手段であるスマートエントリキーが車両内にあるときに当該スマートエントリキーをリモート操作制御マスタと無線通信または有線通信で接続する工程と、車両に対するローカル操作時にローカル操作レコードを前記リモート操作制御マスタの記憶部および前記スマートエントリキーの記憶部に記録する工程と、リモート通信操作手段である携帯電話機により前記ローカル操作を解除するためのリモート操作を行う際に前記スマートエントリキーの記憶部に記録されているローカル操作レコードを車両に送信する工程と、前記携帯電話機からローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程とを含むことを特徴とする。請求項４記載のリモート操作時のローカル操作解除権限付与方法によれば、車両に対するローカル操作時にローカル操作レコードをリモート操作制御マスタおよびスマートエントリキーに記録し、ローカル操作を解除するためのリモート操作を行う際にスマートエントリキーに記録されたローカル操作レコードを送信し、送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００１１】
請求項５記載のリモート操作時のローカル操作解除権限付与方法は、携帯記憶手段兼リモート通信操作手段である携帯電話機が車両内にあるときに当該携帯電話機を無線通信または有線通信でリモート操作制御マスタに接続する工程と、車両に対するローカル操作時にローカル操作レコードをリモート操作制御マスタの記憶部および前記携帯電話機の記憶部に記録する工程と、前記携帯電話機により前記ローカル操作を解除するためのリモート操作を行う際に前記携帯電話機の記憶部に記録されているローカル操作レコードを車両に送信する工程と、前記ローカル操作レコードを受信したときに当該ローカル操作レコードを前記リモート操作制御マスタの記憶部に記録されているローカル操作レコードと比較し、比較結果が一致しているときにのみ当該ローカル操作の解除権限を付与する工程とを含むことを特徴とする。請求項５記載のリモート操作時のローカル操作解除権限付与方法によれば、車両に対するローカル操作時にローカル操作レコードをリモート操作制御マスタおよび携帯電話機に記録し、ローカル操作を解除するためのリモート操作を行う際に携帯電話機に記録されたローカル操作レコードを送信し、送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００１２】
請求項６記載のリモート操作時のローカル操作解除権限付与方法は、請求項１ないし請求項５のいずれかに記載のリモート操作時のローカル操作解除権限付与方法において、前記ローカル操作レコードが、当該ローカル操作の操作内容および日付時刻であることを特徴とする。請求項６記載のリモート操作時のローカル操作解除権限付与方法によれば、ローカル操作レコード内の操作内容および日付時刻を互いに比較することにより、ローカル操作者の携帯記憶手段に記録されたローカル操作レコードであるかどうかの確認はできないが、同一日付時刻に同一の操作内容のローカル操作が行われる確率はほとんどなく、ローカル操作の操作内容および日付時刻の一致判定だけでも、ローカル操作者によるローカル操作を解除するリモート操作の要求であることが分かる。
【００１３】
請求項７記載のリモート操作時のローカル操作解除権限付与方法は、請求項１ないし請求項５のいずれかに記載のリモート操作時のローカル操作解除権限付与方法において、前記ローカル操作レコードが、リモート通信操作手段の端末識別情報および当該ローカル操作の操作内容であることを特徴とする。請求項７記載のリモート操作時のローカル操作解除権限付与方法によれば、ローカル操作レコード内の端末識別情報および操作内容を互いに比較することにより、同一の日付時刻に行われたローカル操作のローカル操作レコードであるかどうかは確認できないが、同一のローカル操作者により同一の操作内容のローカル操作が行われることはほとんどなく、端末識別情報および操作内容の一致判定だけでも、ローカル操作者によるローカル操作を解除するリモート操作の要求であることを判別することができる。
【００１４】
請求項８記載のリモート操作時のローカル操作解除権限付与方法は、請求項１ないし請求項５のいずれかに記載のリモート操作時のローカル操作解除権限付与方法において、前記ローカル操作レコードが、リモート通信操作手段の端末識別情報および当該ローカル操作の日付時刻であることを特徴とする。請求項８記載のリモート操作時のローカル操作解除権限付与方法によれば、ローカル操作レコード内の端末識別情報および日付時刻を互いに比較することにより、同一の操作内容のローカル操作のローカル操作レコードであるかどうかは確認できないが、同一の日付時刻に異なる操作内容のローカル操作が行われる確率はほとんどなく、端末識別情報および日付時刻の一致判定だけでも、ローカル操作者によるローカル操作を解除するリモート操作の要求であることを判別することができる。
【００１５】
請求項９記載のリモート操作時のローカル操作解除権限付与方法は、請求項１ないし請求項５のいずれかに記載のリモート操作時のローカル操作解除権限付与方法において、前記ローカル操作レコードが、リモート通信操作手段の端末識別情報ならびに当該ローカル操作の操作内容および日付時刻であることを特徴とする。請求項９記載のリモート操作時のローカル操作解除権限付与方法によれば、ローカル操作レコード内の端末識別情報ならびに操作内容および日付時刻を互いに比較することにより、ローカル操作者によるローカル操作を解除するリモート操作の要求であることを判別することができる。
【００１６】
請求項１０記載のリモート操作時のローカル操作解除権限付与方法は、請求項１ないし請求項９のいずれかに記載のリモート操作時のローカル操作解除権限付与方法において、特定のリモート通信操作手段に最高レベルのローカル操作解除権限を付与し、ローカル操作レコードの比較結果が一致しなくとも常にローカル操作の解除権限を付与するようにしたことを特徴とする。請求項１０記載のリモート操作時のローカル操作解除権限付与方法によれば、特定のリモート通信操作手段に最高レベルのローカル操作解除権限を付与し、ローカル操作レコードの比較結果が一致しなくとも解除権限を付与するようにしたことにより、事故救助，メンテナンス等の緊急性を要する場合には、ローカル操作者でなくともローカル操作を解除することが可能になるという利点がある。
【００１７】
請求項１１記載のリモート操作時のローカル操作解除権限付与システムは、車両に対するローカル操作時に当該ローカル操作レコードを記録する携帯記憶手段と、当該ローカル操作を解除するためのリモート操作時に前記携帯記憶手段に記録されているローカル操作レコードを車両に送信するリモート通信操作手段と、車両に対するローカル操作時にローカル操作レコードを記録し、当該ローカル操作を解除するためのローカル操作レコードを受信したときに当該ローカル操作レコードを、記録されているローカル操作レコードと比較し、比較結果が一致しているときにのみ当該ローカル操作の解除権限を付与する車両とを有することを特徴とする。請求項１１記載のリモート操作時のローカル操作解除権限付与システムによれば、車両および携帯記憶手段が車両に対するローカル操作時にローカル操作レコードを記録し、リモート通信操作手段がローカル操作を解除するためのリモート操作を行う際に携帯記憶手段に記録されたローカル操作レコードを送信し、車両が送信されてきたローカル操作レコードと車両に記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００１８】
請求項１２記載のリモート操作時のローカル操作解除権限付与システムは、車両に対するローカル操作時に当該ローカル操作レコードを記録し、当該ローカル操作を解除するためのリモート操作時に記録されているローカル操作レコードを車両に送信するリモート通信操作手段と、車両に対するローカル操作時にローカル操作レコードを記録し、当該ローカル操作を解除するためのローカル操作レコードを受信したときに当該ローカル操作レコードを、記録されているローカル操作レコードと比較し、比較結果が一致しているときにのみ当該ローカル操作の解除権限を付与する車両とを有することを特徴とする。請求項１２記載のリモート操作時のローカル操作解除権限付与システムによれば、車両および携帯記憶手段が車両に対するローカル操作時にローカル操作レコードを記録し、リモート通信操作手段がローカル操作を解除するためのリモート操作を行う際に携帯記憶手段に記録されたローカル操作レコードを送信し、車両が送信されてきたローカル操作レコードと車両に記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００１９】
請求項１３記載のリモート操作時のローカル操作解除権限付与システムは、車両内にあるときにリモート操作制御マスタと無線通信または有線通信で接続され、車両に対するローカル操作時に前記リモート操作制御マスタによりローカル操作レコードを記録される携帯記憶手段と、前記携帯記憶手段と無線通信または有線通信で接続され、前記ローカル操作を解除するためのリモート操作を行う際に前記携帯記憶手段に記録されているローカル操作レコードを車両に送信するリモート通信操作手段と、前記リモート通信操作手段から送信されてきたローカル操作レコードを受信する車載通信装置と、車両に対するローカル操作時にローカル操作レコードを自身の記憶部および接続されている携帯記憶手段に記録し、前記車載通信装置によりローカル操作レコードが受信されたときに当該ローカル操作レコードを自身の記憶部に記録されているローカル操作レコードと比較して、比較結果が一致しているときにのみ当該ローカル操作の解除権限を付与するリモート操作制御マスタとを有することを特徴とする。請求項１３記載のリモート操作時のローカル操作解除権限付与システムによれば、リモート操作制御マスタおよび携帯記憶手段が車両に対するローカル操作時にローカル操作レコードを記録し、リモート通信操作手段がローカル操作を解除するためのリモート操作を行う際に携帯記憶手段に記録されたローカル操作レコードを送信し、リモート操作制御マスタが送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００２０】
請求項１４記載のリモート操作時のローカル操作解除権限付与システムは、車両内にあるときにリモート操作制御マスタと無線通信または有線通信で接続され、車両に対するローカル操作時にローカル操作レコードを記憶部に記録し、前記ローカル操作を解除するためのリモート操作を行う際に前記記憶部に記録されているローカル操作レコードを車両に送信するリモート通信操作手段と、前記リモート通信操作手段から送信されてきたローカル操作レコードを受信する車載通信装置と、車両に対するローカル操作時にローカル操作レコードを記憶部に記録し、車載通信装置によりローカル操作レコードが受信されたときに当該ローカル操作レコードを前記記憶部に記録されているローカル操作レコードと比較して、比較結果が一致しているときにのみ当該ローカル操作の解除権限を付与するリモート操作制御マスタとを有することを特徴とする。請求項１４記載のリモート操作時のローカル操作解除権限付与システムによれば、リモート操作制御マスタおよび携帯記憶手段が車両に対するローカル操作時にローカル操作レコードを記録し、リモート通信操作手段がローカル操作を解除するためのリモート操作を行う際に携帯記憶手段に記録されたローカル操作レコードを送信し、リモート操作制御マスタが送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００２１】
請求項１５記載のリモート操作時のローカル操作解除権限付与システムは、車両内にあるときにリモート操作制御マスタと無線通信または有線通信で接続され、車両に対するローカル操作時に前記リモート操作制御マスタによりローカル操作レコードを自身の記憶部に記録される携帯記憶手段であるスマートエントリキーと、前記スマートエントリキーと無線通信または有線通信で接続され、前記ローカル操作を解除するためのリモート操作を行う際に前記スマートエントリキーの記憶部に記録されているローカル操作レコードを車両に送信するリモート通信操作手段である携帯電話機と、前記携帯電話機から送信されてきたローカル操作レコードを受信する車載通信装置と、車両に対するローカル操作時にローカル操作レコードを自身の記憶部および接続されている前記スマートエントリキーの記憶部に記録し、前記車載通信装置によりローカル操作レコードが受信されたときに当該ローカル操作レコードを自身の記憶部に記録されているローカル操作レコードと比較して、比較結果が一致しているときにのみ当該ローカル操作の解除権限を付与するリモート操作制御マスタとを有することを特徴とする。請求項１５記載のリモート操作時のローカル操作解除権限付与システムによれば、リモート操作制御マスタおよびスマートエントリキーが車両に対するローカル操作時にローカル操作レコードを記録し、携帯電話機がローカル操作を解除するためのリモート操作を行う際にスマートエントリキーに記録されたローカル操作レコードを送信し、リモート操作制御マスタが送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００２２】
請求項１６記載のリモート操作時のローカル操作解除権限付与システムは、車両内にあるときにリモート操作制御マスタと無線通信または有線通信で接続され、車両に対するローカル操作時に前記リモート操作制御マスタによりローカル操作レコードを自身の記憶部に記録され、前記ローカル操作を解除するためのリモート操作を行う際に自身の記憶部に記録されているローカル操作レコードを車両に送信する携帯記憶手段兼リモート通信操作手段である携帯電話機と、前記携帯電話機から送信されてきたローカル操作レコードを受信する車載通信装置と、車両に対するローカル操作時にローカル操作レコードを自身の記憶部および接続されている前記携帯電話機の記憶部に記録し、前記車載通信装置によりローカル操作レコードが受信されたときに当該ローカル操作レコードを自身の記憶部に記録されているローカル操作レコードと比較して、比較結果が一致しているときにのみ当該ローカル操作の解除権限を付与するリモート操作制御マスタとを有することを特徴とする。請求項１６記載のリモート操作時のローカル操作解除権限付与システムによれば、リモート操作制御マスタおよび携帯電話機が車両に対するローカル操作時にローカル操作レコードを記録し、携帯電話機がローカル操作を解除するためのリモート操作を行う際に携帯電話機に記録されたローカル操作レコードを送信し、リモート操作制御マスタが送信されてきたローカル操作レコードとリモート操作制御マスタに記録されているローカル操作レコードとを比較することにより、ローカル操作を解除するためのリモート操作をするリモート操作者が、当該ローカル操作を行ったローカル操作者であるどうかを判定することができ、ローカル操作者である場合のみにローカル操作の解除権限を付与することができる。
【００２３】
請求項１７記載のリモート操作時のローカル操作解除権限付与システムは、請求項１１ないし請求項１６のいずれかに記載のリモート操作時のローカル操作解除権限付与システムにおいて、前記ローカル操作レコードが、当該ローカル操作の操作内容および日付時刻であることを特徴とする。請求項１７記載のリモート操作時のローカル操作解除権限付与システムによれば、ローカル操作レコード内の操作内容および日付時刻を互いに比較することにより、ローカル操作者の携帯記憶手段に記録されたローカル操作レコードであるかどうかの確認はできないが、同一日付時刻に同一の操作内容のローカル操作が行われる確率はほとんどなく、ローカル操作の操作内容および日付時刻の一致判定だけでも、ローカル操作者によるローカル操作を解除するリモート操作の要求であることが分かる。
【００２４】
請求項１８記載のリモート操作時のローカル操作解除権限付与システムは、請求項１１ないし請求項１６のいずれかに記載のリモート操作時のローカル操作解除権限付与システムにおいて、前記ローカル操作レコードが、リモート通信操作手段の端末識別情報および当該ローカル操作の操作内容であることを特徴とする。請求項１８記載のリモート操作時のローカル操作解除権限付与システムによれば、ローカル操作レコード内の端末識別情報および操作内容を互いに比較することにより、同一の日付時刻に行われたローカル操作のローカル操作レコードであるかどうかは確認できないが、同一のローカル操作者により同一の操作内容のローカル操作が行われることはほとんどなく、端末識別情報および操作内容の一致判定だけでも、ローカル操作者によるローカル操作を解除するリモート操作の要求であることを判別することができる。
【００２５】
請求項１９記載のリモート操作時のローカル操作解除権限付与システムは、請求項１１ないし請求項１６のいずれかに記載のリモート操作時のローカル操作解除権限付与システムにおいて、前記ローカル操作レコードが、リモート通信操作手段の端末識別情報および当該ローカル操作の日付時刻であることを特徴とする。請求項１９記載のリモート操作時のローカル操作解除権限付与システムによれば、ローカル操作レコード内の端末識別情報および日付時刻を互いに比較することにより、同一の操作内容のローカル操作のローカル操作レコードであるかどうかは確認できないが、同一の日付時刻に異なる操作内容のローカル操作が行われる確率はほとんどなく、端末識別情報および日付時刻の一致判定だけでも、ローカル操作者によるローカル操作を解除するリモート操作の要求であることを判別することができる。
【００２６】
請求項２０記載のリモート操作時のローカル操作解除権限付与システムは、請求項１１ないし請求項１６のいずれかに記載のリモート操作時のローカル操作解除権限付与システムにおいて、前記ローカル操作レコードが、リモート通信操作手段の端末識別情報ならびに当該ローカル操作の操作内容および日付時刻であることを特徴とする。請求項２０記載のリモート操作時のローカル操作解除権限付与システムによれば、ローカル操作レコード内の端末識別情報ならびに操作内容および日付時刻を互いに比較することにより、ローカル操作者によるローカル操作を解除するリモート操作の要求であることを判別することができる。
【００２７】
請求項２１記載のリモート操作時のローカル操作解除権限付与システムは、請求項１１ないし請求項２０のいずれかに記載のリモート操作時のローカル操作解除権限付与システムにおいて、特定のリモート通信操作手段に最高レベルのローカル操作解除権限を付与し、ローカル操作レコードの比較結果が一致しなくとも常にローカル操作の解除権限を付与するようにしたことを特徴とする。請求項２１記載のリモート操作時のローカル操作解除権限付与システムによれば、特定のリモート通信操作手段に最高レベルのローカル操作解除権限を付与し、ローカル操作レコードの比較結果が一致しなくとも解除権限を付与するようにしたことにより、事故救助，メンテナンス等の緊急性を要する場合には、ローカル操作者でなくともローカル操作を解除することが可能になるという利点がある。
【発明を実施するための最良の形態】
【００２８】
車両に対してローカル操作を行った後に、そのローカル操作の解除をリモート操作で行う場合には、ローカル操作を行った時に乗車していたローカル操作者のみにローカル操作解除権限を与え、ローカル操作の誤った解除を防止する。
【００２９】
以下、本発明の実施例を図面を参照して詳細に説明する。
【実施例１】
【００３０】
図１は、本発明の実施例１に係るリモート操作時のローカル操作解除権限付与システムの構成を示すブロック図である。本実施例１に係るリモート操作時のローカル操作解除権限付与システムは、複数のローカル操作スイッチ１０Ａ，１０Ｂ，…，１０Ｎと、複数の電気負荷２０Ａ，２０Ｂ，…，２０Ｎと、複数の電子制御装置３０Ａ，３０Ｂ，…，３０Ｎと、車載ＬＡＮ（Local Area Network）４０と、リモート操作制御マスタ５０と、車載通信装置６０と、スマートエントリキー７０と、携帯電話機８０と、通信網９０とから、その主要部が構成されている。なお、図１中、符号１は、車両を示す。
【００３１】
ローカル操作スイッチ１０Ａ，１０Ｂ，…，１０Ｎは、エンジンスタートのオン／オフスイッチ，ハザードランプの点灯／消灯スイッチ，ドアのロック／アンロックスイッチ，ウインドウの開／閉スイッチ等であり、エンジン系，ボデー系，セキュリティ系等の該当する電子制御装置３０Ａ，３０Ｂ，…，３０Ｎにそれぞれ接続されている。
【００３２】
電気負荷２０Ａ，２０Ｂ，…，２０Ｎは、ローカル操作スイッチ１０Ａ，１０Ｂ，…，１０Ｎによってオン／オフ等を制御されるエンジン，ハザードランプ，ドアロックモータ，ウィンドモータ等の負荷対象であり、エンジン系，ボデー系，セキュリティ系等の該当する電子制御装置３０Ａ，３０Ｂ，…，３０Ｎにそれぞれ接続されている。
【００３３】
電子制御装置３０Ａ，３０Ｂ，…，３０Ｎは、エンジン系，ボデー系，セキュリティ系等の機能毎に設けられており、それぞれ車載ＬＡＮ４０に接続されていて、相互に通信可能となっている。
【００３４】
車載ＬＡＮ４０は、ワイヤで構成されていても光ファイバで構成されていてもよく、またＢＥＡＭ（Body Electronic Area Network），ＣＡＮ（Controller Area Network），ＭＯＳＴ（Media Oriented System Transport），ＬＩＮ（Local Interconnect Network）等のどのような通信方式が使用されていてもよい。
【００３５】
リモート操作制御マスタ５０は、電子制御装置３０Ａ，３０Ｂ，…，３０Ｎと車載通信装置６０とを中継する装置であり、ローカル操作レコードを記録するための記憶部５１を備えている。なお、リモート操作制御マスタ５０は、電子制御装置３０Ａ，３０Ｂ，…，３０Ｎのいずれかに組み込むこともできる。
【００３６】
車載通信装置６０は、ＣＤＭＡ（Code Division Multiple Access）方式のＤＣＭ（Data Communication Module）等が想定されるが、携帯電話機８０とは別体の携帯電話装置等であってもよい。
【００３７】
スマートエントリキー７０は、車両１より離れたところから車両１の各ドアのロック機構等を制御することが可能な電子キーシステムに用いられる携帯端末であり、車両オーナおよび車両オーナから車両の運転を許可された者（例えば、家族）が所有する。スマートエントリキー７０は、その内部には送受信回路を備えていて、スマートエントリキー７０毎に固有に定められたＩＤ（IDentification）コード（端末識別情報）が記憶されており、ＩＤコードをセキュリティ系の電子制御装置３０に対して出力する。また、スマートエントリキー７０は、リモート操作制御マスタ５０とBluetooth（登録商標）等の近距離無線通信（または有線通信）で接続され、キーレスドア開閉機能，キーレスイモビライザ機能，キーレスエンジンスタータ機能等を果たす。また、スマートエントリキー７０は、ローカル操作レコードを記録するための記憶部７１を備えている。
【００３８】
携帯電話機８０は、周知のごとく、入力キー，液晶ディスプレイ，無線回路等から構成されるもので、通信網９０を介して車載無線通信装置６０と通信できるものである。また、携帯電話機８０は、例えば、２．４ＧＨｚ帯を使用したBluetooth（登録商標）等の通信規格に対応した通信部（図示せず）が内蔵されており、スマートエントリキー７０との間で近距離無線通信が実行できるように構成されている。携帯電話機８０は、無線ＬＡＮ（Local Area Network）を介してインターネットを通じてパケット等を送信するＩＰ（Internet Protocol）携帯電話機であってもよい。
【００３９】
なお、スマートエントリキー７０と携帯電話機８０との接続は、近距離の無線通信が可能な通信部に限定されるものではない。例えば、有線または直結によって接続するための通信部であってもよい。
【００４０】
通信網９０は、携帯電話網ばかりでなく、ＩＰ（Internet Protocol）を使用するインターネットや公衆電話回線網等であってもよい。
【００４１】
図２は、リモート操作制御マスタ５０の記憶部５１およびスマートエントリキー７０の記憶部７１に記録されるローカル操作レコードの一例を示す図である。このローカル操作レコードは、スマートエントリキー７０のＩＤコード，ならびにローカル操作の操作内容および日付時刻からなる。なお、ローカル操作レコードは、同一の操作内容については、最新の日付時刻のものが上書きされて記録される。これは、例えば、車両オーナがハザードランプの点灯をローカル操作で行った後に、車両オーナの妻が念のために重ねてハザードランプの点灯をローカル操作で行った場合には、車両オーナが独自の判断で遠隔地からリモート操作でハザードランプの点灯を解除することができないようにするためである。
【００４２】
図３は、ローカル操作時のローカル操作制御マスタ５０の動作を示すフローチャートである。
【００４３】
図４は、リモート操作時のリモート通信操作手段（本実施例１では携帯電話機８０）の動作を示すフローチャートである。
【００４４】
図５は、ローカル操作レコード受信時のローカル操作制御マスタ５０の動作を示すフローチャートである。
【００４５】
次に、このように構成された実施例１に係るリモート操作時のローカル操作解除権限付与システムの動作について、図１ないし図５を参照しながら説明する。
【００４６】
ユーザ（車両オーナおよび車両オーナから車両１の使用を許可された者）がスマートエントリキー７０を所持して車両１に乗車すると、リモート操作制御マスタ５０は、Bluetooth（登録商標）等の近距離無線通信（または有線通信）でスマートエントリキー７０を接続する（図３のステップＳ１０１でイエス）。詳しくは、車両１内のリモート操作制御マスタ５０と車両１内に持ち込まれたスマートエントリキー７０とが常に通信を行い、スマートエントリキー７０が接続されている状態（ユーザが車両１内にいる状態）を認識する。
【００４７】
ユーザが、例えばハザードランプを点灯するローカル操作スイッチであるハザードスイッチをオンすると（図３のステップＳ１０２でイエス）、リモート操作制御マスタ５０は、車両１をローカル操作した時のローカル操作レコードをリモート操作制御マスタ５０の記憶部５１に記録する（図３のステップＳ１０３）。詳しくは、リモート操作制御マスタ５０は、スマートエントリキー７０のＩＤコード，ローカル操作の操作内容（ハザードランプのオン）および日付日時をローカル操作レコードとしてリモート操作制御マスタ５０の記憶部５１に記録する。なお、同一の操作内容のローカル操作レコードがすでに記録されている場合には、その操作内容に対して上書きして、最新のローカル操作レコードだけを残す。
【００４８】
次に、リモート操作制御マスタ５０は、車両１をローカル操作した時のローカル操作レコードをスマートエントリキー７０の記憶部７１にも記録する（図３のステップＳ１０４）。詳しくは、スマートエントリキー７０のＩＤコード，ローカル操作の操作内容（ハザードランプのオン）および日付日時をローカル操作レコードとしてスマートエントリキー７０の記憶部７１にも記録する。なお、同一の操作内容のローカル操作レコードがすでに記録されている場合には、その操作内容に対して上書きして、最新のローカル操作レコードだけを残すようにする。
【００４９】
この後、リモート操作制御マスタ５０は、ステップＳ１０１に制御を戻して、スマートエントリキー７０の接続状態でローカル操作が繰り返される限り、ステップＳ１０３およびＳ１０４を繰り返す。
【００５０】
次に、ユーザ（すなわち、ローカル操作者）がスマートエントリキー７０を所持して車両１外に移動すると、リモート操作制御マスタ５０は、スマートエントリキー７０との無線通信または有線通信での接続を終了する（図３のステップＳ１０１でノー）。
【００５１】
ユーザが車外にいる状態から、車両１に乗車していた時にしたローカル操作（ハザードランプのオン）等をリモート操作で解除しようとする際には（図４のステップＳ２０１）、ユーザは、スマートエントリキー７０の記憶部７１に記録されたローカル操作レコードを、所持する携帯電話機８０を用いて通信網９０を介して車両１に送信する（図４のステップＳ２０２）。
【００５２】
車両１では、車載通信装置６０を通じてローカル操作レコードを受信すると（図５のステップＳ３０１でイエス）、リモート操作制御マスタ５０は、受信したローカル操作レコードと、リモート操作制御マスタ５０の記憶部５１に記録されているローカル操作レコードとを比較する（図５のステップＳ３０２）。
【００５３】
比較結果が一致すると、リモート操作制御マスタ５０は、ローカル操作者がローカル操作を解除するリモート操作を要求しているものと判断し、ローカル操作を解除する権限を携帯電話機８０に付与する（図５のステップＳ３０３）。
【００５４】
比較結果が一致しなければ、リモート操作制御マスタ５０は、ローカル操作者以外の者が、ローカル操作を解除するリモート操作を要求しているものと判断し、携帯電話機８０にローカル操作を解除する権限を付与しない（図５のステップＳ３０４）。
【００５５】
なお、上記実施例１では、リモート通信操作手段として携帯電話機８０を使用する場合について説明したが、これに限定されるものではなく、例えば、通信網９０に接続可能なＰＤＡ（Personal Digital  Assistants）やＰＣ（Personal Computer）等であってもよいことはいうまでもない。
【００５６】
また、携帯電話機８０が通信網９０を介して車載通信装置６０と回線接続してローカル操作レコードを送受信するように説明したが、情報センタと呼ばれる中継装置をさらに介してローカル操作レコードを送受信するようにしてもよいことはいうまでもない。
【００５７】
さらに、特定のスマートエントリキー７０等の携帯記憶手段に最高レベルのローカル操作解除権限を付与し、ローカル操作レコードの比較結果が一致しなくとも解除権限を付与するようにできる。このようにすれば、事故救助，メンテナンス等の緊急性を要する場合には、ローカル操作者でなくともローカル操作を解除することが可能になるという利点がある。
【００５８】
ところで、上記実施例１では、ローカル操作レコードとして、図２に示したＩＤコード，操作内容および日付時刻の３つの記録項目（フィールド）を有するものとしたが、ローカル操作レコードの記録項目はこれら３つに限られるものではない。
【００５９】
ローカル操作レコードの記録項目を、例えば、図６に示すようにローカル操作の操作内容および日付時刻とした場合には、ローカル操作者のスマートエントリキー７０の記憶部７１に記録されたローカル操作レコードであるかどうかの確認はできないが、同一日付時刻に同一の操作内容のローカル操作が行われる確率はほとんどなく、ローカル操作の操作内容および日付時刻の一致判定だけでも、ローカル操作者によるローカル操作を解除するリモート操作の要求であることが分かる。
【００６０】
同様に、ローカル操作レコードの記録項目を、例えば、図７に示すようにスマートエントリキー７０のＩＤコードおよびローカル操作の操作内容とした場合でも、同一の日付時刻に行われたローカル操作のローカル操作レコードであるかどうかは確認できないが、同一のローカル操作者により同一の操作内容のローカル操作が行われることはほとんどなく、スマートエントリキー７０のＩＤコードおよびローカル操作の操作内容の一致判定だけでも、ローカル操作者によるローカル操作を解除するリモート操作の要求であることを判別することができる。
【００６１】
また、同様に、ローカル操作レコードの記録項目を、例えば、図８に示すようにスマートエントリキー７０のＩＤコードおよびローカル操作の日付時刻とした場合でも、同一の操作内容のローカル操作のローカル操作レコードであるかどうかは確認できないが、同一の日付時刻に異なる操作内容のローカル操作が行われる確率はほとんどなく、スマートエントリキー７０のＩＤコードおよびローカル操作の日付時刻の一致判定だけでも、ローカル操作者によるローカル操作を解除するリモート操作の要求であることを判別することができる。
【実施例２】
【００６２】
図９は、本発明の実施例２に係るリモート操作時のローカル操作解除権限付与システムの構成を示すブロック図である。本実施例２に係るリモート操作時のローカル操作解除権限付与システムは、図１に示した実施例１に係るリモート操作時のローカル操作解除権限付与システムにおけるスマートエントリキー７０を、携帯電話機８０自体で置き換えるようにしたものである。
【００６３】
携帯電話機８０が、フラッシュＲＯＭ等でなる書換え可能な記憶部（図示せず）を備えることはいうまでもない。
【００６４】
なお、その他の特に言及しない部分については、実施例１に係るリモート操作時のローカル操作解除権限付与システムにおける対応部分と同様に構成されているので、同一符号を付して詳しい説明を割愛する。
【００６５】
このように構成された実施例２に係るリモート操作時のローカル操作解除権限付与システムの動作においても、実施例１に係るリモート操作時のローカル操作解除権限付与システムの動作とほぼ同様となる。
【００６６】
詳しくは、ユーザ（車両オーナおよび車両オーナから車両１の使用を許可された者）が携帯電話機８０を所持して車両１に乗車すると、リモート操作制御マスタ５０は、無線通信または有線通信で携帯電話機８０を接続する（図３のステップＳ１０１でイエス）。
【００６７】
ユーザが、スマートエントリキー７０等を所持した状態（すなわち、ユーザが乗車していることを認識されている状態）で、例えばハザードランプを点灯するローカル操作スイッチであるハザードスイッチをオンすると（図３のステップＳ１０２でイエス）、リモート操作制御マスタ５０は、携帯電話機８０の携帯電話番号（端末識別情報），ローカル操作の操作内容（ハザードランプのオン）および日付日時をローカル操作レコードとしてリモート操作制御マスタ５０の記憶部５１に記録する（図３のステップＳ１０３）。
【００６８】
次に、リモート操作制御マスタ５０は、携帯電話機８０の携帯電話番号，ローカル操作の操作内容（ハザードランプのオン）および日付日時をローカル操作レコードとして携帯電話機８０の記憶部にも記録する（図３のステップＳ１０４）。
【００６９】
この後、リモート操作制御マスタ５０は、ステップＳ１０１に制御を戻して、携帯電話機８０の接続状態でローカル操作が繰り返される限り、ステップＳ１０３およびＳ１０４を繰り返す。
【００７０】
次に、ユーザ（すなわち、ローカル操作者）が携帯電話機８０を所持して車両１外に移動すると、リモート操作制御マスタ５０は、携帯電話機８０との無線通信または有線通信での接続を終了する（図３のステップＳ１０１でノー）。
【００７１】
ユーザが車外にいる状態から、車両１に乗車していた時にしたローカル操作（ハザードランプのオン）等をリモート操作で解除しようとしたときに（図４のステップＳ２０１）、ユーザは、携帯電話機８０の記憶部に記録されたローカル操作レコードを、所持する携帯電話機８０を用いて通信網９０を介して車両１に送信する（図４のステップＳ２０２）。
【００７２】
車両１では、車載通信装置６０を通じてローカル操作レコードを受信すると（図５のステップＳ３０１でイエス）、リモート操作制御マスタ５０は、受信したローカル操作レコードと、リモート操作制御マスタ５０の記憶部５１に記録されているローカル操作レコードとを比較する（図５のステップＳ３０２）。
【００７３】
比較結果が一致すると、リモート操作制御マスタ５０は、ローカル操作を解除する権限をユーザに与える（図５のステップＳ３０３）。
【００７４】
比較結果が一致しなければ、リモート操作制御マスタ５０は、ユーザにローカル操作を解除する権限を付与しない（図５のステップＳ３０４）。
【００７５】
なお、上記実施例２では、携帯記憶手段兼リモート通信操作手段として携帯電話機８０を使用する場合について説明したが、これに限定されるものではなく、例えば、通信網９０に接続可能なＰＤＡ（Personal Digital  Assistants）やＰＣ（Personal Computer）等であってもよいことはいうまでもない。
【００７６】
また、携帯電話機８０が通信網９０を介して車載通信装置６０と回線接続してローカル操作レコードを送受信するように説明したが、情報センタと呼ばれる中継装置をさらに介してローカル操作レコードを送受信するようにしてもよいことはいうまでもない。
【００７７】
さらに、特定の携帯電話機８０等の携帯記憶手段兼リモート通信操作手段に最高レベルのローカル操作解除権限を付与し、ローカル操作レコードの比較結果が一致しなくとも解除権限を付与するようにできる。このようにすれば、事故救助，メンテナンス等の緊急性を要する場合には、ローカル操作者でなくともローカル操作を解除することが可能になるという利点がある。
【００７８】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００７９】
【図１】本発明の実施例１に係るリモート操作時のローカル操作解除権限付与システムの構成を示すブロック図。
【図２】図１中のリモート操作制御マスタの記憶部およびスマートエントリキーの記憶部に記録されるローカル操作レコードの一例を示す図である。
【図３】図１中のリモート操作制御マスタのローカル操作時の動作を示すフローチャート。
【図４】図１中のリモート通信操作手段の動作を示すフローチャート。
【図５】図１中のリモート操作制御マスタのリモート操作時の動作を示すフローチャート。
【図６】図１中のリモート操作制御マスタの記憶部およびスマートエントリキーの記憶部に記録されるローカル操作レコードの他の一例を示す図である。
【図７】図１中のリモート操作制御マスタの記憶部およびスマートエントリキーの記憶部に記録されるローカル操作レコードのさらに他の一例を示す図である。
【図８】図１中のリモート操作制御マスタの記憶部およびスマートエントリキーの記憶部に記録されるローカル操作レコードのさらに別一例を示す図である。
【図９】本発明の実施例２に係るリモート操作時のローカル操作解除権限付与システムの構成を示すブロック図。
【符号の説明】
【００８０】
１  車両
１０Ａ，１０Ｂ，…，１０Ｎ  ローカル操作スイッチ
２０Ａ，２０Ｂ，…，２０Ｎ  電気負荷
３０Ａ，３０Ｂ，…，３０Ｎ  電子制御装置
４０  車載ＬＡＮ
５０  リモート操作制御マスタ
６０  車載通信装置
７０  スマートエントリキー
８０  携帯電話機
８０  携帯電話機
９０  通信網
【図１】
0004569820.tif 000002
【図２】
0004569820.tif 000003
【図３】
0004569820.tif 000004
【図４】
0004569820.tif 000005
【図５】
0004569820.tif 000006
【図６】
0004569820.tif 000007
【図７】
0004569820.tif 000008
【図８】
0004569820.tif 000009
【図９】
0004569820.tif 000010